(57)【要約】【課題】料金清算システムに用いられる際にユーザーが感じる不便さを低減できる携帯通信機器を提供すること。【解決手段】携帯電話機は、情報を無線通信で送受信する通信手段としてのＲＦタグの一部であるＲＦアンテナと、情報を記憶する記憶装置と、画像を表示する表示装置と、ＲＦアンテナから情報を送受信すると共に、記憶装置と表示装置とを制御する制御装置と、を備え、制御装置は、入場時刻を含む入場情報を通信装置が受信すると、入場情報を記憶装置に記憶させると共に、所定画像を表示装置に表示させ、次に、ＲＦアンテナから入場情報を送信させる。【選択図】図６
2011097277.tif 000002
【特許請求の範囲】
【請求項１】
情報を無線通信で送受信する通信手段と、
情報を記憶する記憶手段と、
少なくとも前記通信手段及び前記記憶手段を制御する制御手段と、
を備え、
当該制御手段は、施設への入場の際に入場時刻を含む入場情報を前記通信手段が受信すると、前記入場情報を前記記憶手段に記憶させ、その後、前記施設に設けられる通信機器へ前記入場情報を送信させることを特徴とする携帯通信機器。
【請求項２】
画像を表示する表示手段を備え、
前記制御手段は、前記入場情報を前記記憶手段に記憶させると共に、前記入場情報に関する所定画像を前記表示手段に待ち受け画面として表示させることを特徴とする請求項１に記載の携帯通信機器。
【請求項３】
前記制御手段は、前記入場情報を送信した前記通信機器から、前記入場情報に関連する追加情報を前記通信手段が受信すると、前記追加情報を前記記憶手段に記憶させると共に、前記所定画像とは別の画像を前記表示手段に表示させることを特徴とする請求項２に記載の携帯通信機器。
【請求項４】
前記所定画像とは別の画像は、前記追加情報を前記記憶手段が有することを表す画像であり、待ち受け画面として表示される画像であることを特徴とする請求項３に記載の携帯通信機器。
【請求項５】
前記制御手段は、前記施設から退場する際に前記通信手段が前記入場情報を送信すると、前記表示手段が表示する画像を現在の画像から変更することを特徴とする請求項２から請求項４のいずれか１項に記載の携帯通信機器。
【請求項６】
前記入場情報には、前記入場時刻からの経過時間から料金を導き出すための料金算出情報が含まれ、
前記制御手段は、前記入場時刻と現在の時刻とから前記経過時間を算出し、当該経過時間と前記料金算出情報から現在の料金を算出し、現在の料金を表す画像を前記表示手段に表示させることを特徴とする請求項２から請求項５のいずれか１項に記載の携帯通信機器。
【請求項７】
前記制御手段は、前記表示手段に表示される画像に含まれるオブジェクトに、それぞれ対応するアプリケーションプログラムを割り当て、前記所定画像に含まれる前記オブジェクトが選択されると、選択された前記オブジェクトに割り当てられた前記アプリケーションプログラムを実行することを特徴とする請求項２から請求項６のいずれか１項に記載の携帯通信機器。
【請求項８】
前記制御手段は、
あらかじめ設定された電子マネーサービスによって入場料金を支払うと共に、前記入場情報を前記通信手段に受信させ、
前記入場情報を受信すると、当該入場情報を前記記憶手段に記憶させ、前記入場情報を前記記憶手段が有することを表す画像を前記表示手段に表示させ、
前記入場情報を送信した通信機器を介した前記電子マネーサービスによる支払いと共に、前記入場情報に関連する追加情報を前記通信機器から前記通信手段に受信させ、
前記追加情報を受信すると、当該追加情報を前記記憶手段に記憶させ、前記追加情報を前記記憶手段が有することを表す画像を前記表示手段に表示させ、
前記施設から退場する際に前記通信手段が前記入場情報及び前記追加情報を送信すると、前記表示手段が表示する画像を現在の画像から変更することを特徴とする請求項２に記載の携帯通信機器。
【請求項９】
情報を無線通信で送受信する通信手段と、
情報を記憶する記憶手段と、
画像を表示する表示手段と、
前記通信手段と前記記憶手段と表示手段とを制御する制御手段と、
を備え、
当該制御手段は、施設への入場の際に入場時刻を含む入場情報を前記通信手段が受信すると、前記入場情報を前記記憶手段に記憶させると共に、前記入場情報に関する所定画像を前記表示手段に待ち受け画面として表示させることを特徴とする携帯通信機器。
【発明の詳細な説明】
【技術分野】
【０００１】
本発明は、ユーザーが所定の場内に入退場する際に要する料金を精算するための料金清算システムに用いられる携帯通信機器に関する。
【背景技術】
【０００２】
従来、ユーザーが所定の場内に入退場する際に要する料金を精算するための料金清算システムがある。このような料金清算システムとしては、例えば、時間毎に料金が課せられる駐車場に設けられて、車両が駐車場に入庫する際に、入庫時の時間が記載された駐車券を発券し、車両が駐車場から出庫する際に駐車券を受け取って駐車時間や料金を表示すると共に、料金を受け取る技術がある。このような料金清算システムでは、ユーザーが駐車券を紛失してしたり、駐車券を自分が所持していることをユーザーが忘れたりすることがある。
【０００３】
近年、携帯電話機の普及により、各種システムを構成する要素の１つとして携帯電話機を用いたり、各種サービスの実現に要する要素の１つとして携帯電話機を用いたりすることがある。例えば、特許文献１には、駐車料金の割引サービスを実現するために、カメラ付き携帯電話機を用いる技術が開示されている。駐車料金の割引サービスとは、駐車場と提携している店舗でユーザーが買い物をすると、駐車場料金が割引されるサービスである。特許文献１に開示されている技術では、ユーザーは携帯している携帯電話機を駐車券の代替品として用いることができる。このため、特許文献１に開示されている技術は、ユーザーが駐車券を紛失するおそれや、駐車券を自分が所持していることをユーザーが忘れたりするおそれを低減できる。
【先行技術文献】
【特許文献】
【０００４】
【特許文献１】特開２００７−１２８２７９号公報
【発明の概要】
【発明が解決しようとする課題】
【０００５】
しかしながら、特許文献１に開示されている技術では、ユーザーは、駐車券に印刷されたＱＲコードを携帯電話機が備えるカメラを用いて読み込む必要がある。ＱＲコードを読み込むためには、まず、ユーザーは、携帯電話機の入力装置を操作してカメラを用いた撮影を実現するプログラムを起動し、駐車券を動かないように固定してからＱＲコードを撮影する必要がある。これらの作業を要するため、特許文献１に開示されている技術では、ユーザーに要する手間が増加する。これにより、特許文献１に開示されている技術では、ユーザーは、不便さを感じることがある。
【０００６】
本発明は、上記に鑑みてなされたものであって、料金清算システムに用いられる携帯通信機器であって、ユーザーが感じる不便さを低減できる携帯通信機器を提供することを目的とする。
【課題を解決するための手段】
【０００７】
上述した課題を解決し、目的を達成するために、本発明に係る携帯通信機器は、情報を無線通信で送受信する通信手段と、情報を記憶する記憶手段と、少なくとも前記通信手段及び前記記憶手段を制御する制御手段と、を備え、当該制御手段は、施設への入場の際に入場時刻を含む入場情報を前記通信手段が受信すると、前記入場情報を前記記憶手段に記憶させ、その後、前記施設に設けられる通信機器へ前記入場情報を送信させることを特徴とする。
【０００８】
本発明の好ましい態様としては、画像を表示する表示手段を備え、前記制御手段は、前記入場情報を前記記憶手段に記憶させると共に、前記入場情報に関する所定画像を前記表示手段に待ち受け画面として表示させることが望ましい。
【０００９】
本発明の好ましい態様としては、前記制御手段は、前記入場情報を送信した前記通信機器から、前記入場情報に関連する追加情報を前記通信手段が受信すると、前記追加情報を前記記憶手段に記憶させると共に、前記所定画像とは別の画像を前記表示手段に表示させることが望ましい。
【００１０】
本発明の好ましい態様としては、前記所定画像とは別の画像は、前記追加情報を前記記憶手段が有することを表す画像であり、待ち受け画面として表示される画像であることが望ましい。
【００１１】
本発明の好ましい態様としては、前記制御手段は、前記施設から退場する際に前記通信手段が前記入場情報を送信すると、前記表示手段が表示する画像を現在の画像から変更することが望ましい。
【００１２】
本発明の好ましい態様としては、前記入場情報には、前記入場時刻からの経過時間から料金を導き出すための料金算出情報が含まれ、前記制御手段は、前記入場時刻と現在の時刻とから前記経過時間を算出し、当該経過時間と前記料金算出情報から現在の料金を算出し、現在の料金を表す画像を前記表示手段に表示させることが望ましい。
【００１３】
本発明の好ましい態様としては、前記制御手段は、前記表示手段に表示される画像に含まれるオブジェクトに、それぞれ対応するアプリケーションプログラムを割り当て、前記所定画像に含まれる前記オブジェクトが選択されると、選択された前記オブジェクトに割り当てられた前記アプリケーションプログラムを実行することが望ましい。
【００１４】
本発明の好ましい態様としては、前記制御手段は、あらかじめ設定された電子マネーサービスによって入場料金を支払うと共に、前記入場情報を前記通信手段に受信させ、前記入場情報を受信すると、当該入場情報を前記記憶手段に記憶させ、前記入場情報を前記記憶手段が有することを表す画像を前記表示手段に表示させ、前記入場情報を送信した通信機器を介した前記電子マネーサービスによる支払いと共に、前記入場情報に関連する追加情報を前記通信機器から前記通信手段に受信させ、前記追加情報を受信すると、当該追加情報を前記記憶手段に記憶させ、前記追加情報を前記記憶手段が有することを表す画像を前記表示手段に表示させ、前記施設から退場する際に前記通信手段が前記入場情報及び前記追加情報を送信すると、前記表示手段が表示する画像を現在の画像から変更することが望ましい。
【００１５】
上述した課題を解決し、目的を達成するために、本発明に係る携帯通信機器は、情報を無線通信で送受信する通信手段と、情報を記憶する記憶手段と、画像を表示する表示手段と、前記通信手段と前記記憶手段と表示手段とを制御する制御手段と、を備え、当該制御手段は、施設への入場の際に入場時刻を含む入場情報を前記通信手段が受信すると、前記入場情報を前記記憶手段に記憶させると共に、前記入場情報に関する所定画像を前記表示手段に待ち受け画面として表示させることを特徴とする。
【発明の効果】
【００１６】
本発明に係る携帯通信機器は、料金清算システムに用いられる際にユーザーが感じる不便さを低減できるという効果を奏する。
【図面の簡単な説明】
【００１７】
【図１】図１は、実施形態１に係る携帯電話機を示す正面図である。
【図２】図２は、制御装置が有する各機能を示すブロック図である。
【図３】図３は、料金清算システムを示す説明図である。
【図４】図４は、入庫管理装置を示す斜視図である。
【図５】図５は、出庫管理装置を示す斜視図である。
【図６】図６は、実施形態１に係る制御装置が実行する一連の手順を示すフローチャートである。
【図７】図７は、実施形態１の変形例に係る制御装置が実行する一連の手順を示すフローチャートである。
【図８】図８は、メモ画像を表示する表示装置を示す説明図である。
【図９】図９は、詳細情報を表示する表示装置を示す説明図である。
【図１０】図１０は、実施形態２に係る制御装置が実行する一連の手順を示すフローチャートである。
【発明を実施するための形態】
【００１８】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下の説明では、携帯通信機器として携帯電話機を例として説明するが、本発明の適用対象は携帯電話機に限定されるものではなく、例えば、ＰＨＳ（Personal Handy phone System）、ＰＤＡ、ポータブルナビゲーション装置、ノートパソコン、ゲーム機等に対しても本発明は適用できる。
【００１９】
（実施形態１）
図１は、実施形態１に係る携帯電話機器を示す正面図である。携帯電話機１は、図１に示すように、筐体１０内に主要部が収納されて構成される。筐体１０は、例えば、第１筐体１０ａと第２筐体１０ｂとを含んで構成される。第１筐体１０ａは、第２筐体１０ｂに対して軸ＣＬを軸に回動できるように連結される。携帯電話機１は、いわゆる折り畳み式の携帯電話機である。ここで、携帯電話機１は、第１筐体１０ａが第２筐体１０ｂに対してスライドできるように連結されてもよいし、単一の筐体で構成されてもよい。
【００２０】
携帯電話機１は、図１に示すように、筐体１０内に、制御装置２０を備える。制御装置２０は、ＣＰＵ（Central Processing Unit）を含んで構成され、携帯電話機１の全体的な動作を統括的に制御する装置である。携帯電話機１は、筐体１０内に配置されると共に制御装置２０と電気的に接続される装置群として、表示手段としての表示装置１１と、通信装置１２と、マイク１３と、レシーバ１４と、通信手段の一部としてのＲＦ（Radio Frequency）アンテナ１５と、入力装置１６と、記憶手段としての記憶装置１７と、を備える。制御装置２０は、これらの各装置に信号を送信したり、各装置から信号を取得したりして各装置を制御する。
【００２１】
表示装置１１は、例えば、図１に示すように第１筐体１０ａに設けられる。制御装置２０は、表示装置１１に、所定の画像として、携帯電話機１が受信を待機している状態のときに待ち受け画像を表示したり、携帯電話機１の操作を補助するために用いられるメニュー画像を表示したり、所定の事項をユーザーに報知するための画像を表示したりする。ここで、所定の事項をユーザーに報知するための画像は、文字を表す画像や、イラスト画像である。所定の事項をユーザーに報知するための画像は多種多様であるが、このような画像のうち、ユーザーが自分でメモとして登録する画像や、ユーザーが望む画像であると制御装置２０が判断した画像であって制御装置２０が自動で登録する画像を、以下、メモ画像という。
【００２２】
通信装置１２は、アンテナが接続されて、回線交換網を介して行われる音声通話の発着信、メールの送受信を行う。マイク１３は、例えば、第２筐体１０ｂに設けられる。マイク１３は、音声を電気信号に変換して制御装置２０に出力する。制御装置２０は、電気信号に変換された音声をマイク１３から取得する。レシーバ１４は、例えば、図１に示す第１筐体１０ａに設けられる。レシーバ１４は、電気信号を音声に変換して出力する。制御装置２０は、音声をレシーバ１４から出力する。記憶装置１７は、例えば、半導体記憶装置やハードディスクである。記憶装置１７は、制御装置２０が実行する一連の手順が記された各種プログラムや、画像データ、テキストデータ、その他諸々のデータを記憶する。
【００２３】
ＲＦアンテナ１５は、ＲＦＩＤ（Radio Frequency IDentification）を実現するための装置である。ＲＦアンテナ１５は、ＲＦ通信装置との間で無線技術を用いた通信を行う。ここで、本実施形態の携帯電話機１は、ＩＣチップとＲＦアンテナ１５とが一体となったＲＦタグ（通信手段）を搭載する。以下の説明では、制御装置２０にＲＦタグの制御装置が含まれ、記憶装置１７にＲＦタグの記憶装置が含まれるものとして説明する。但し、ＲＦタグのＩＣチップは、制御装置２０とは別の専用の制御装置や、記憶装置１７とは別の専用の記憶装置を含んで構成されることもある。制御装置２０は、ＲＦアンテナ１５を介して、ＲＦ通信装置へ情報を送信したり、ＲＦ通信装置から情報を取得したりする。入力装置１６は、例えば、第２筐体１０ｂに配置される。入力装置１６は、携帯電話機１のユーザーによって操作される。制御装置２０は、入力装置１６を介してユーザーが入力した情報を取得する。
【００２４】
図２は、制御装置が有する各機能を示すブロック図である。制御装置２０は、１つの装置が図２に示す各機能を実現してもよいし、図２に示す各機能をそれぞれ別個に実現する複数の装置が電気的に接続されることで各機能を実現してもよい。制御装置２０は、主処理部２１と、記憶装置制御部２２と、入力データ取得部２３と、音声処理部２４と、通信部２５と、表示制御部２６との各機能を実現する。主処理部２１は、演算をしたり、次にどの手順を実行するのかを判定したりする。記憶装置制御部２２は、制御装置２０が備えるＩ／Ｏ（Input/Output）に電気的に接続される記憶装置１７に情報を記憶させたり、記憶装置１７に記憶されている情報を記憶装置１７から取得したりする。入力データ取得部２３は、制御装置２０のＩ／Ｏに電気的に接続される入力装置１６から信号を取得する。すなわち、入力データ取得部２３は、入力装置１６からユーザーが入力した情報を取得する。
【００２５】
音声処理部２４は、制御装置２０のＩ／Ｏに電気的に接続されるマイク１３及びレシーバ１４と信号をやりとりする。具体的には、音声処理部２４は、マイク１３が電子信号に変換した音声データをマイク１３から取得する。また、音声処理部２４は、レシーバ１４へ信号を出力して、レシーバ１４に音声を出力させる。通信部２５は、制御装置２０のＩ／Ｏに電気的に接続される通信装置１２へ音声データやメールデータを出力したり、通信装置１２から音声データやメールデータを取得したりして、音声通話の機能や、メールの送受信の機能を実現する。また、通信部２５は、ＲＦアンテナ１５を介してＲＦ通信装置と情報をやり取りする。表示制御部２６は、制御装置２０のＩ／Ｏに電気的に接続される表示装置１１を制御する。表示制御部２６は、表示装置１１に表示させる画像を生成したり、表示装置１１に信号を出力して表示装置１１に画像を表示させたりする。次に、本実施形態の料金清算システムの構成を説明する。
【００２６】
図３は、料金清算システムを示す説明図である。図４は、入庫管理装置を示す斜視図である。図５は、出庫管理装置を示す斜視図である。料金清算システム３０は、図３及び図４に示す入庫管理装置３１ａと、図３及び図５に示す出庫管理装置３１ｂと、図３に示すゲート装置３８とを含んで構成される。入庫管理装置３１ａ及び出庫管理装置３１ｂは、駐車場の敷地に据え付けられる。ゲート装置３８は、駐車場の敷地に設けられて開閉する。ゲート装置３８は、ユーザーが入庫管理装置３１ａ及び出庫管理装置３１ｂで所定の作業を行うと開門する。入庫管理装置３１ａ及び出庫管理装置３１ｂは、図４及び図５に示すように、表示装置３２ａと、スピーカ３２ｂとを備える。表示装置３２ａは、ユーザーに情報を報知するための画像を表示する。スピーカ３２ｂは、ユーザーに情報を報知するための音声を出力する。
【００２７】
図４に示す入庫管理装置３１ａは、さらに、発券ボタン３３ａと、入庫用通信部３５とを備える。発券ボタン３３ａは、ユーザーが操作するボタンである。入庫管理装置３１ａは、ユーザーが発券ボタン３３ａを押すと、駐車券吐き出し口３３ｂから駐車券を発行する。入庫用通信部３５は、ユーザーによって携帯電話機１がかざされる部分である。入庫用通信部３５は、入庫管理装置３１ａのケーシングの内部に通信装置としての入庫側ＲＦ通信装置３５ａが配置されることで、携帯電話機１との無線通信を実現する。入庫側ＲＦ通信装置３５ａは、携帯電話機１へ入場情報を送信する。入場情報には、入場時刻と、管理装置識別情報とが含まれる。入場時刻は、例えば、ユーザーが駐車場に車両を入庫する際に、携帯電話機１が入庫管理装置３１ａの入庫用通信部３５にかざされた時刻である。料金清算システム３０は、他の駐車場に設置されることがある。管理装置識別情報は、他の駐車場に設置される料金清算システム３０の入庫管理装置３１ａと、今回入場情報を生成した入庫管理装置３１ａとを識別するための情報である。
【００２８】
図５に示す出庫管理装置３１ｂは、表示装置３２ａ及びスピーカ３２ｂ以外に、駐車券挿入口３３ｃと、コイン投入口３４ａと、紙幣挿入口３４ｂと、ツリ銭取り出し口３４ｃと、出庫用通信部３６とを備える。出庫管理装置３１ｂは、ユーザーが駐車券挿入口３３ｃに駐車券を挿入すると、駐車券挿入口３３ｃから駐車券を受け取る。コイン投入口３４ａ及び紙幣挿入口３４ｂは、ユーザーから現金を受け取る。ツリ銭取り出し口３４ｃは、ユーザーに釣り銭を渡す。出庫用通信部３６は、ユーザーによって携帯電話機１がかざされる部分である。出庫用通信部３６は、出庫管理装置３１ｂのケーシングの内部に通信装置としての出庫側ＲＦ通信装置３６ａが配置されることで、携帯電話機１との無線通信を実現する。出庫側ＲＦ通信装置３６ａは、携帯電話機１から入場情報と、追加情報とを受信する。追加情報とは、入場情報に関連する情報であって、駐車料金を割り引くための割引情報や、駐車料金とは別の追加料金情報である。
【００２９】
ここで、図４に示す発券ボタン３３ａ及び駐車券吐き出し口３３ｂと、図５に示す駐車券挿入口３３ｃとは、料金清算システム３０のユーザーのうち、本実施形態の携帯電話機１を持たないユーザーのための装置である。よって、料金清算システム３０のユーザーのすべてが本実施形態の携帯電話機１を所持するのであれば、料金清算システム３０は、図４に示す発券ボタン３３ａ及び駐車券吐き出し口３３ｂと、図５に示す駐車券挿入口３３ｃとが省略されてもよい。次に、図１に示す制御装置２０が実行する一連の手順を説明しつつ、携帯電話機１の使い方を説明する。
【００３０】
図６は、実施形態１に係る制御装置が実行する一連の手順を示すフローチャートである。以下、図２に示すＲＦアンテナ１５と図４に示す入庫側ＲＦ通信装置３５ａとの通信を入庫通信、図２に示すＲＦアンテナ１５と図５に示す出庫側ＲＦ通信装置３６ａとの通信を出庫通信、図２に示すＲＦアンテナ１５と、入庫側ＲＦ通信装置３５ａ及び出庫側ＲＦ通信装置３６ａ以外のＲＦ通信装置との通信を追加通信という。施設に設けられるＲＦ通信装置であって、入庫側ＲＦ通信装置３５ａ及び出庫側ＲＦ通信装置３６ａ以外のＲＦ通信装置は、例えば、料金清算システム３０を有する駐車場と提携している店舗に設けられる認証機と呼ばれる装置である。すなわち、本実施形態では、通信装置としてのＲＦ通信装置は、入庫側ＲＦ通信装置３５ａと、出庫側ＲＦ通信装置３６ａと、認証機とである。また、本実施形態では、施設には、駐車場と、前記駐車場と提携する店舗とが含まれる。
【００３１】
ユーザーは、車両を駐車場場内に入庫する際、まず、図３に示すように、ゲート装置３８の手前で車両を停止させ、図４に示すように、入庫管理装置３１ａの入庫用通信部３５に携帯電話機１をかざす。すると、図２に示す制御装置２０の通信部２５は、図６に示すステップＳＴ１０１で、入庫通信を開始する要求があるか否かを判定する。ここで、図４に示す入庫側ＲＦ通信装置３５ａは、図２に示すＲＦアンテナ１５が自身（入庫側ＲＦ通信装置３５ａ）に接近すると、ＲＦタグ専用の制御装置（本実施形態では制御装置２０に含まれる）に無線により電力も供給する。本実施形態の通信部２５は、ＲＦアンテナ１５を介して電力を受け取ると、入庫通信を開始する要求があると判定する。なお、入庫側ＲＦ通信装置３５ａがＲＦタグに電力を供給しない場合は、通信部２５は、ユーザーによる図１に示す入力装置１６への操作がある場合に入庫通信を開始する要求があると判定する。前記操作は、入庫通信を開始する指令を入力する操作である。
【００３２】
入庫通信を開始する要求がない場合（ステップＳＴ１０１、Ｎｏ）、制御装置２０は、一連の手順を終了し、再度スタートから一連の手順を実行する。入庫通信を開始する要求がある場合（ステップＳＴ１０１、Ｙｅｓ）、ステップＳＴ１０２に進み、通信部２５は、図４に示す入庫側ＲＦ通信装置３５ａから入場情報を取得し、入庫通信を終了する。本実施形態の場合、ユーザーが図４に示す入庫用通信部３５から無線により電力を供給できる範囲外に携帯電話機１を遠ざければ、図２に示すＲＦアンテナ１５を介したＲＦタグへの電力の供給が自然に停止する。これにより、通信部２５は、入庫通信を終了する。
【００３３】
次に、ステップＳＴ１０３で、図２に示す記憶装置制御部２２は、入場情報を記憶装置１７に記憶させる。また、図２に示す表示制御部２６は、所定画像である入場情報所有報知画像をメモ画像として図１に示す表示装置１１に表示させる。入場情報所有報知画像は、入場情報を記憶装置１７が有することを表す画像である。ユーザーは、駐車券を有していることを忘れることがある。これにより、ユーザーは、料金清算システム３０が設置された駐車場と提携している店舗で買い物をした際に、駐車券を店員に出し忘れて、駐車場料金の割引サービスを受けられないおそれがある。しかしながら、一般的に、携帯電話機１のユーザーは、頻繁に表示装置１１を確認する。これにより、ユーザーは、表示装置１１に表示されているメモ画像を目視することで、記憶装置１７に入場情報が記憶されていることを確認できる。よって、携帯電話機１は、ユーザーが店舗で割引サービスを受けられないおそれを低減できる。これにより、携帯電話機１は、料金清算システム３０に用いられる際にユーザーが感じる不便さを低減できる。
【００３４】
ここで、表示制御部２６が表示装置１１に表示する入場情報所有報知画像は、例えば「駐車券あり」というテキストでもよいが、例えば、入場時刻を示すテキストでもよい。この場合でも、ユーザーは、入場情報を記憶装置１７が有することを把握できる。この場合、携帯電話機１は、入場情報を記憶装置１７が有すること以外にも、入場時刻が何時であるかということもユーザーに報知できる。これにより、携帯電話機１は、料金清算システム３０に用いられる際にユーザーが感じる不便さを低減できる。
【００３５】
次に、ステップＳＴ１０４で、図２に示す主処理部２１は、追加通信の要求があるか否かを判定する。具体的には、本実施形態では、店舗に設けられる認証機は、図２に示すＲＦアンテナ１５が自身（認証機）に接近すると、ＲＦアンテナ１５を介して無線により電力もＲＦタグに供給する。本実施形態の通信部２５は、ＲＦタグに電力が供給されているか否かで、追加通信の要求があるか否かを判定する。なお、認証機が電力を供給しない場合は、通信部２５は、携帯電話機１のユーザー又は店舗の店員が、追加通信を開始する操作を図１に示す入力装置１６へ施したか否かで追加通信の要求があるか否かを判定する。
【００３６】
追加通信の要求がある場合（ステップＳＴ１０４、Ｙｅｓ）、ステップＳＴ１０５で、通信部２５は、認証機へ入場情報を送信する。認証機は、取得した入場情報が提携の駐車場が備える料金清算システム３０のものであると判定した場合、追加情報をＲＦアンテナ１５へ送信する。ステップＳＴ１０６で、通信部２５は、認証機から追加情報を取得し、追加通信を終了する。次に、ステップＳＴ１０７で、図２に示す記憶装置制御部２２は、追加情報を記憶装置１７に記憶させる。また、図２に示す表示制御部２６は、追加情報所有報知画像をメモ画像として図１に示す表示装置１１に表示させる。
【００３７】
追加情報所有報知画像は、追加情報を記憶装置１７が有することを表す画像であり、ステップＳＴ１０３で表示したメモ画像とは別の画像である。表示装置１１に表示される追加情報所有報知画像は、例えば「割引あり」とテキストでもよいが、例えば、その割引の内容を示すテキストでもよい。この場合でも、ユーザーは、追加情報を記憶装置１７が有することを把握できる。この場合、携帯電話機１は、追加情報を記憶装置１７が有すること以外にも、駐車場料金がどの程度割り引かれるのかをユーザーに報知できる。これにより、携帯電話機１は、料金清算システム３０に用いられる際にユーザーが感じる不便さを低減できる。
【００３８】
次に、ステップＳＴ１０８で、主処理部２１は、出庫通信の要求があるか否かを判定する。ここで、図５に示す出庫側ＲＦ通信装置３６ａは、図２に示すＲＦアンテナ１５が自身（出庫側ＲＦ通信装置３６ａ）に接近すると、ＲＦアンテナ１５を介してＲＦタグに無線により電力も供給する。本実施形態の通信部２５は、ＲＦタグに電力が供給されると、出庫通信を開始する要求があると判定する。なお、出庫側ＲＦ通信装置３６ａが電力を供給しない場合は、通信部２５は、ユーザーによる図１に示す入力装置１６への操作がある場合に出庫通信を開始する要求があると判定する。前記操作は、出庫通信を開始する指令を入力する操作である。
【００３９】
出庫通信を開始する要求がない場合（ステップＳＴ１０８、Ｎｏ）、制御装置２０は、ステップＳＴ１０４へ戻り、ステップＳＴ１０４以降の手順を実行する。すなわち、この間、通信部２５は、追加情報を待ち受ける。出庫通信を開始する要求がある場合（ステップＳＴ１０８、Ｙｅｓ）、ステップＳＴ１０９で、通信部２５は、図５に示す出庫側ＲＦ通信装置３６ａへ入場情報を送信する。また、通信部２５は、図２に示す記憶装置１７に追加情報が記憶されている場合、追加情報を出庫側ＲＦ通信装置３６ａへ送信する。
【００４０】
ここでは、記憶装置１７は、追加情報を記憶しているため、出庫側ＲＦ通信装置３６ａへ、入場情報と追加情報との両方を送信する。そして、通信部２５は、出庫通信を終了する。次に、ステップＳＴ１１０で、図２に示す表示制御部２６は、図１に示す表示装置１１に表示させている画像を、入場情報を有していることを表すメモ画像が含まれない画像に切り替える。すなわち、表示制御部２６は、メモ画像を非表示にする。これにより、携帯電話機１は、出庫通信が完了したことをユーザーに報知できる。ステップＳＴ１１０を実行すると、制御装置２０は、一連の手順の実行を終了して、スタートに戻る。
【００４１】
次に、携帯電話機１から入場情報を受け取った出庫管理装置３１ｂの動作を説明する。出庫管理装置３１ｂは、受け取った入場情報から、まず、管理装置識別情報に基づいて、受け取った入場情報が図４に示す入庫管理装置３１ａによって送信されたものであるか否かを判定する。受け取った入場情報が入庫管理装置３１ａによって送信されたものではない場合、出庫管理装置３１ｂは、例えば、表示装置３２ａにエラーを示す画像を表示する。受け取った入場情報が入庫管理装置３１ａによって送信されたものである場合、出庫管理装置３１ｂは、現在の時刻から、入場情報に含まれる入場時刻を減算して経過時間を算出する。そして、出庫管理装置３１ｂは、経過時間から仮の駐車料金を算出する。
【００４２】
次に、出庫管理装置３１ｂは、受け取った追加情報に基づいて、仮の駐車料金に加算、又は減算を行う。追加情報が割引情報である場合には、出庫管理装置３１ｂは、仮の駐車料金から割引金額を減算して最終的な駐車料金を算出する。追加情報が追加料金を示す情報である場合には、出庫管理装置３１ｂは、仮の駐車料金に追加料金を加算して最終的な駐車料金を算出する。そして、出庫管理装置３１ｂは、図５に示す表示装置３２ａに最終的な駐車料金を示す画像を表示したり、スピーカ３２ｂから最終的な駐車料金を表す音声を出力したりする。ユーザーは、指定された料金を、コイン投入口３４ａや紙幣挿入口３４ｂを介して支払う。これにより、駐車場料金の精算が完了する。すると、図３に示すゲート装置３８が開門する。次に、追加通信の要求がない場合（ステップＳＴ１０４、Ｎｏ）に、制御装置２０が実行する手順を説明する。
【００４３】
追加通信の要求がない場合（ステップＳＴ１０４、Ｎｏ）、通信部２５は、ステップＳＴ１０６及びステップＳＴ１０７を省略し、ステップＳＴ１０８以降の手順を実行する。ここで、この場合、図２に示す記憶装置１７には追加情報が記憶されていない。よって、ステップＳＴ１０９では、通信部２５は、図５に示す出庫側ＲＦ通信装置３６ａへ入場情報のみを送信する。そして、通信部２５は、出庫通信を終了する。また、この場合、図１に示す表示装置１１には、追加情報所有報知画像が表示されていない。よって、ステップＳＴ１１０で、図２に示す表示制御部２６は、入場情報を有していることを表す画像のみを非表示にする。これにより、携帯電話機１は、出庫通信が完了したことをユーザーに報知できる。
【００４４】
ここで、現在、記憶装置１７には追加情報は記憶されていないため、図５に示す出庫側ＲＦ通信装置３６ａが受け取った情報は、入場情報のみである。この場合、出庫管理装置３１ｂは、上述の仮の駐車料金を最終的な駐車料金とする。すなわち、出庫管理装置３１ｂは、現在の時刻から、入場情報に含まれる入場時刻を減算して経過時間を算出する。そして、出庫管理装置３１ｂは、経過時間から駐車料金を算出する。次に、出庫管理装置３１ｂは、図５に示す表示装置３２ａに駐車料金を示す画像を表示したり、スピーカ３２ｂから最終的な駐車料金を表す音声を出力したりする。
【００４５】
以上の手順を携帯電話機１の制御装置２０が実行することにより、ユーザーは、携帯電話機１を図４に示す入庫管理装置３１ａの入庫側ＲＦ通信装置３５ａと、図５に示す出庫管理装置３１ｂの出庫側ＲＦ通信装置３６ａとにかざすのみで、入場情報を送受信できる。よって、携帯電話機１は、ＱＲコードをカメラで撮影することで入場情報を取得する技術よりも、料金清算システムに用いられる際にユーザーが感じる不便さを低減できる。
【００４６】
さらに、一般的に、入場券（駐車券）は、使用された後は不要となる。しかしながら、携帯電話機１は、従来の駐車券に代わって、入場情報を図５に示す出庫管理装置３１ｂに受け渡すことができる。よって、ユーザーが料金清算システム３０に携帯電話機１を用いた場合、図４に示す入庫管理装置３１ａは、入場券としての駐車券を発行する必要がない。よって、携帯電話機１は、入庫管理装置３１ａにより発行される駐車券の数を低減できる。ここで、本実施形態の携帯電話機１は、ＲＦＩＤ以外にも、例えば、赤外線通信を用いて、図４に示す入庫管理装置３１ａや、図５に示す出庫管理装置３１ｂや、店舗に設けられる認証機と無線通信で情報をやりとりしてもよい。また、携帯電話機１が備えるＲＦタグは、外部から供給される電力で作動するパッシブ型の装置でも、自身（ＲＦタグ）に電気的に接続される電池から供給される電力で作動するアクティブ型の装置でもよい。
【００４７】
（変形例）
図７は、実施形態１の変形例に係る制御装置が実行する一連の手順を示すフローチャートである。本変形例に係る携帯電話機は、制御装置２０が実行する手順は異なるが、自身（携帯電話機）を構成するための要素は、上述の携帯電話機１と同様である。図７に示すステップＳＴ２０１と、ステップＳＴ２０４〜ステップＳＴ２０７と、ステップＳＴ２１０とは、それぞれ、図６に示すステップＳＴ１０１と、ステップＳＴ１０４〜ステップＳＴ１０８と、ステップＳＴ１１０と同様である。よって、これらのステップの説明は省略する。ここで、従来、ＲＦタグを備える携帯電話機は、電子マネーサービスを用いることにより、ユーザーが携帯電話機を店舗内に設置された電子マネー清算装置にかざすことで、料金の決済を実現できるものがある。このような携帯電話機として、おサイフケータイ（登録商標）がある。この電子マネーサービスを用いることにより、ユーザーは、現金を用いずに駐車料金を清算できる。以下、このための料金清算システム３０の構成及び携帯電話機の構成を説明する。
【００４８】
図２に示すＲＦアンテナ１５は、電子マネー清算装置と無線通信ができるものである。ここで、携帯電話機１は、料金清算システム３０専用のＲＦタグとは別に、電子マネー清算装置専用のＲＦタグが設けられてもよい。但し、料金清算システム３０及び電子マネー清算装置の両方に対応したＲＦタグを備えることにより、携帯電話機１は、備える装置の数を低減できる。また、図４に示す入庫側ＲＦ通信装置３５ａ及び図５に示す出庫側ＲＦ通信装置３６ａも、料金清算システム３０及び電子マネー清算装置の両方に対応した通信装置である。
【００４９】
この場合、図７に示すステップＳＴ２０２で、通信部２５が図４に示す入庫側ＲＦ通信装置３５ａから入場情報を取得する際に、通信部２５は、ＲＦアンテナ１５を介して入庫側ＲＦ通信装置３５ａから清算に関する情報として清算情報を取得する必要がある。例えば、料金清算システム３０を備える施設が駐車場ではなく、入場料が必要な施設、例えばテーマパークのような娯楽施設である場合、通信部２５は、ＲＦアンテナ１５を介して入庫側ＲＦ通信装置３５ａから入場料を記した清算情報を取得する。料金清算システム３０を備える施設が、駐車場のように入場料が不要な施設の場合、通信部２５は、入庫側ＲＦ通信装置３５ａから入場料が０円であることを記した清算情報を取得する。
【００５０】
そして、図７に示すステップＳＴ２０３で、図２に示す記憶装置制御部２２は、入場情報を記憶装置１７に記憶させ、さらに、記憶装置１７に記憶されている料金値を更新する。料金値は、電子マネーサービスに用いられる値である。用いられる電子マネーサービスが、料金前払い式のサービスである場合、料金値は現在の残高を示す値である。例えば、主処理部２１は、現在の料金値から、ステップＳＴ２０２で取得した清算情報である０を減算して新たな料金値とする。そして、記憶装置制御部２２は、記憶装置１７に新たな料金値を記憶する。なお、ステップＳＴ２０３では、表示制御部２６は、入場情報所有報知画像を図１に示す表示装置１１に表示させる。
【００５１】
ステップＳＴ２０８では、通信部２５は、図５に示す出庫側ＲＦ通信装置３６ａへ入場情報を送信する。また、通信部２５は、図２に示す記憶装置１７に追加情報が記憶されている場合、追加情報を出庫側ＲＦ通信装置３６ａへ送信する。そして、出庫管理装置３１ｂは、出庫側ＲＦ通信装置３６ａが受け取った入場情報に含まれる入場時刻と現在の時刻とに基づいて経過時間を算出し、経過時間から仮の駐車料金を算出する。そして、出庫管理装置３１ｂは、追加情報に基づいて仮の駐車料金から最終的な駐車料金を算出する。そして、出庫管理装置３１ｂは、表示装置３２ａに駐車場料金を表示する。
【００５２】
出庫管理装置３１ｂの出庫側ＲＦ通信装置３６ａは、その駐車料金を精算情報としてＲＦアンテナ１５に送信する。通信部２５が清算情報を受け取ると、ステップＳＴ２０９で、記憶装置制御部２２は、料金値を更新する。具体的には、まず、記憶装置制御部２２が、記憶装置１７から現在の料金値を取得する。そして、主処理部２１は、現在の料金値に、ステップＳＴ２０８で取得した清算情報である駐車料金を減算して新たな料金値を算出する。そして、記憶装置制御部２２は、記憶装置１７に新たな料金値を記憶させる。この時、通信部２５は、ＲＦアンテナ１５を介して現在の料金値を出庫側ＲＦ通信装置３６ａに送信すると好ましい。これにより、出庫管理装置３１ｂは、出庫側ＲＦ通信装置３６ａが取得した料金値を表示装置３２ａに画像として表示できる。これにより、携帯電話機１のユーザーは、現在の残金を把握できる。よって、本変形例の携帯電話機１は、料金清算システム３０に用いられる際にユーザーが感じる不便さを低減できる。
【００５３】
以上の一連の手順を制御装置２０が実行することにより、携帯電話機１は、電子マネーサービスを用いた駐車場料金の精算を実現できる。これにより、例えば、料金清算システム３０のユーザーのすべてが携帯電話機１を所持するのであれば、携帯電話機１は、図５に示すコイン投入口３４ａと、紙幣挿入口３４ｂと、ツリ銭取り出し口３４ｃとの省略を実現できる。また、料金清算システム３０を有する駐車場と提携している店舗で買い物をする際にも、ユーザーは、携帯電話機１を用いて電子マネーサービスで代金を支払える。例えば、電子マネーサービスに対応し、かつ、駐車場の割引サービスに対応した認証機を店舗に設置しておくことにより、図２に示す通信部２５は、支払いと同時に、店舗に設置された電子マネーサービスに対応した認証機から追加情報を取得できる。これにより、ユーザーは、店舗に設置された認証機に携帯電話機１を一度かざすことで、買い物の支払いと共に駐車場料金の割引サービスを受けることができる。これによって、携帯電話機１は、料金清算システム３０に用いられる際にユーザーが感じる不便さをより低減できる。
【００５４】
（実施形態２）
図８は、メモ画像を表示する表示装置を示す説明図である。図９は、詳細情報を表示する表示装置を示す説明図である。図８に示す携帯電話機２は、表示装置１１に表示されているオブジェクトに、所定のアプリケーションプログラムが割り当てられている点に特徴がある。携帯電話機２の表示装置１１が表示する画像には、例えば、図８に示すように３つのオブジェクトとして、メモ画像４１ａと、メモ画像４１ｂと、メモ画像４１ｃとが含まれる。メモ画像４１ａは、入場情報所有報知画像としてのオブジェクトである。メモ画像４１ｂ及びメモ画像４１ｃは、その他の情報を示すオブジェクトである。ここで、ユーザーがメモ画像４１ａを選択すると、携帯電話機２の制御装置２０は、メモ画像４１ａに割り当てられたアプリケーションプログラムを実行する。ここで、画像を選択するためには、ユーザーは、表示装置１１に表示される画像に、表示装置１１に表示されるカーソルを合わせて、図１に示す入力装置１６の決定ボタンを操作する。
【００５５】
本実施形態では、携帯電話機２は、メモ画像４１ａが選択されると、表示装置１１に表示されている画像を、図８に示す画像から図９に示す詳細情報画像４２に切り替えるアプリケーションプログラムを実行する。詳細情報画像４２には、例えば、駐車場名表示画像４２ａと、入庫時間表示画像４２ｂと、割引時間表示画像４２ｃと、料金表示画像４２ｄとが含まれる。このように、携帯電話機２は、表示装置１１に現在の駐車場料金である料金表示画像４２ｄが表示される点にも特徴がある。以下、これらを実現するために制御装置２０が実行する一連の手順を説明する。
【００５６】
図１０は、実施形態２に係る制御装置が実行する一連の手順を示すフローチャートである。まず、図１０に示すステップＳＴ３０１で、図２に示す表示制御部２６は、図８に示すように、入場情報所有報知画像としてのメモ画像４１ａを表示装置１１に表示する。ここで、本実施形態の入場情報には、料金算出情報が含まれる。料金算出情報は、経過時間から駐車料金を導き出すための情報である。具体的には、料金算出情報は、駐車料金を算出するために必要な関数や、経過時間毎に駐車料金を記したマップである。図４に示す入庫管理装置３１ａの入庫側ＲＦ通信装置３５ａは、入場時刻と、管理装置識別情報と、料金算出情報とを送信することになる。
【００５７】
次に、図１０に示すステップＳＴ３０２で、主処理部２１は、図８に示すメモ画像４１ａが選択されたか否かを判定する。具体的には、まず、図２に示す入力データ取得部２３が、図１に示す入力装置１６から信号を取得する。そして、主処理部２１は、入力データ取得部２３が取得した信号がメモ画像４１ａを選択する際の信号であるか否かを判定する。メモ画像４１ａが選択されていない場合（ステップＳＴ３０２、Ｎｏ）、制御装置２０は、一連の手順を終了し、再度スタートから一連の手順を実行する。なお、すでに表示装置１１に図８に示す画像が表示されているため、ステップＳＴ３０１では、表示制御部２６は、表示装置１１に同じ画像を再度表示する。すなわち、表示制御部２６は、表示装置１１に同じ画像の表示を継続させる。
【００５８】
メモ画像４１ａが選択されている場合（ステップＳＴ３０２、Ｙｅｓ）、ステップＳＴ３０３で、図２に示す記憶装置制御部２２は、料金算出情報を含む入場情報を記憶装置１７から取得する。また、記憶装置制御部２２は、追加情報が記憶装置１７に記憶されている場合は、追加情報を記憶装置１７から取得する。次に、ステップＳＴ３０４で、主処理部２１は、入場情報に含まれる入場時刻及び料金算出情報と、現在の時刻と、追加情報とに基づいて現在の駐車料金を算出する。具体的には、主処理部２１は、まず、現在の時刻から入場時刻を減算して経過時間を算出する。そして、主処理部２１は、経過時間を料金算出情報に照らし合わせることで仮の駐車料金を算出する。次に、主処理部２１は、追加情報に基づいて、仮の駐車料金に加算、又は減算を行う。追加情報が割引情報である場合には、主処理部２１は、仮の駐車料金から割引金額を減算して最終的な駐車料金を算出する。追加情報が追加料金を示す情報である場合には、主処理部２１は、仮の駐車料金に追加料金を加算して最終的な駐車料金を算出する。
【００５９】
次に、ステップＳＴ３０５で、表示制御部２６は、図８のように表示装置１１に表示されている画像を、図９に示す詳細情報画像４２に更新する。具体的には、入場情報に含まれる管理装置識別情報に基づいて図９に示す駐車場名表示画像４２ａを作成する。また、表示制御部２６は、入場情報に含まれる入場時刻に基づいて入庫時間表示画像４２ｂを作成する。また、表示制御部２６は、追加情報に基づいて割引時間表示画像４２ｃを作成する。また、表示制御部２６は、ステップＳＴ３０４で主処理部２１が算出した駐車料金に基づいて料金表示画像４２ｄを作成する。そして、表示制御部２６は、これら駐車場名表示画像４２ａから料金表示画像４２ｄを含めた詳細情報画像４２を生成する。次に、表示制御部２６は、表示装置１１に詳細情報画像４２を表示させる。
【００６０】
以上の一連の手順を制御装置２０が実行することにより、携帯電話機２は、ユーザーに駐車場に関する詳細な情報を報知することができる。よって、本実施形態の携帯電話機２は、料金清算システム３０に用いられる際にユーザーが感じる不便さを低減できる。ここで、一般的に、駐車券を発行する態様の料金清算システムでは、現在の駐車料金をユーザーが知りたい場合、このユーザーは、出庫管理装置に駐車券を挿入して料金を確認するか、自分で駐車料金を計算する必要がある。しかしながら、本実施形態の携帯電話機２を用いれば、ユーザーは、出庫管理装置に駐車券を挿入したり、駐車料金を自分で計算したりすることなく、現在の駐車料金を把握できる。また、制御装置２０は、図８に示すメモ画像４１ａを選択するというユーザーによる作業のみで、現在の駐車料金を報知するためのアプリケーションプログラムを実行する。よって、本実施形態の携帯電話機２は、ユーザーに要する手間を低減できる。結果として、本実施形態の携帯電話機２は、料金清算システム３０に用いられる際にユーザーが感じる不便さを低減できる。
【００６１】
ここで、電子マネーサービスは多種多様であり、その中には、店舗での支払いや、料金清算システム３０での駐車場料金の支払いで用いられると、ポイントを付与するサービス（ポイントサービス）もある。複数の店舗を含む大型ショッピングモールや商店街では、ポイントサービスを受けることができる電子マネーサービスが各店舗で共通することがある。しかしながら、従来では、ユーザーは、数ある電子マネーサービスの中から、ポイントを取得できる電子マネーサービスを支払いのたびに選択する必要があった。そこで、制御装置２０は、例えば、メモ画像４１ａが選択されると、あらかじめ設定された電子マネーサービスでの支払いを実行するアプリケーションプログラムを実行すると好ましい。
【００６２】
この場合、ユーザーは、例えば、駐車場の利用前、または、駐車場に車両を入庫してから店舗で支払いをするまでの間に、どの電子マネーサービスを用いるかを携帯電話機２の設定画面で設定しておく。そして、ユーザーは、支払いをする際にメモ画像４１ａを選択する。メモ画像４１ａが選択されると、制御装置２０は、あらかじめ設定された電子マネーサービスでの支払いを実行するアプリケーションプログラムを実行する。ユーザーは、この状態で、店舗に設けられる認証機や、図５に示す出庫管理装置３１ｂに携帯電話機２をかざすことで、支払いを完了できる。この場合、ユーザーは、どの電子マネーサービスを用いるかを支払いの際に選択する必要がない。よって、本実施形態の携帯電話機２は、ユーザーに要する手間を低減できる。結果として、本実施形態の携帯電話機２は、料金清算システム３０に用いられる際にユーザーが感じる不便さをより好適に低減できる。
【００６３】
ここで、本発明に係る携帯通信機器は、駐車場での利用に限定されず、入場料金のみの施設、例えばテーマパークのような娯楽施設で用いられてもよいし、施設に入場してからの経過時間によって料金が変化する施設、例えばカラオケボックスのような娯楽施設で用いられてもよい。
【産業上の利用可能性】
【００６４】
以上のように、本発明に係る携帯通信機器は、料金清算システムに用いられる携帯通信機器であって、ユーザーが感じる不便さを低減できる携帯通信機器を提供することに有用である。
【符号の説明】
【００６５】
１、２  携帯電話機
１０  筐体
１０ａ  第１筐体
１０ｂ  第２筐体
１１  表示装置
１２  通信装置
１３  マイク
１４  レシーバ
１５  ＲＦアンテナ
１６  入力装置
１７  記憶装置
２０  制御装置
２１  主処理部
２２  記憶装置制御部
２３  入力データ取得部
２４  音声処理部
２５  通信部
２６  表示制御部
３０  料金清算システム
３１ａ  入庫管理装置
３１ｂ  出庫管理装置
３２ａ  表示装置
３２ｂ  スピーカ
３３ａ  発券ボタン
３３ｂ  駐車券吐き出し口
３３ｃ  駐車券挿入口
３４ａ  コイン投入口
３４ｂ  紙幣挿入口
３４ｃ  ツリ銭取り出し口
３５  入庫用通信部
３５ａ  入庫側ＲＦ通信装置
３６  出庫用通信部
３６ａ  出庫側ＲＦ通信装置
３８  ゲート装置
４１ａ〜４１ｃ  メモ画像
４２  詳細情報画像
４２ａ  駐車場名表示画像
４２ｂ  入庫時間表示画像
４２ｃ  割引時間表示画像
４２ｄ  料金表示画像  
【図１】
2011097277.tif 000003
【図２】
2011097277.tif 000004
【図３】
2011097277.tif 000005
【図４】
2011097277.tif 000006
【図５】
2011097277.tif 000007
【図６】
2011097277.tif 000008
【図７】
2011097277.tif 000009
【図８】
2011097277.tif 000010
【図９】
2011097277.tif 000011
【図１０】
2011097277.tif 000012